(57)【要約】【課題】足場板本体の短手方向の一方側に起伏可能な幅木を取り付け、幅木を起立状態あるいは倒伏状態でしっかりと固定でき、特別な工具を用いることなく簡単な操作で起立状態および倒伏状態に移行でき、構造も簡単で壊れにくい足場板を提供する。【解決手段】足場板本体１１に幅木３１が起伏可能に取り付けられた足場板１０であって、足場板本体１１には、上板１２および側板１３に沿ったガイド部材２１を有し、幅木３１には、ガイド部材２１にガイドされるシャフト３２を有し、幅木３１は、ガイド部材２１およびシャフト３２により、倒伏状態で上板１２の短手方向に沿った移動と、起立状態で側板１３の上下方向に沿った移動とが可能であると共に、上板１２の短手方向に沿った移動と側板１３の上下方向に沿った移動との間の移行位置で、シャフト３２を中心に倒伏状態と起立状態との間を回動可能である。【選択図】図２
0003179164.tif 000002
【実用新案登録請求の範囲】
【請求項１】
足場板本体に幅木が起伏可能に取り付けられた足場板であって、
前記足場板本体には、上板および側板に沿ったガイド部を有し、
前記幅木には、前記ガイド部にガイドされる被ガイド部を有し、
前記幅木は、前記ガイド部および前記被ガイド部により、倒伏状態で前記上板の短手方向に沿った移動と、起立状態で前記側板の上下方向に沿った移動とが可能であると共に、前記上板の短手方向に沿った移動と前記側板の上下方向に沿った移動との間の移行位置で、前記被ガイド部を中心に倒伏状態と起立状態との間を回動可能であることを特徴とする足場板。
【請求項２】
前記ガイド部は、前記上板および前記側板が接合される角部に設けられ、断面視Ｌ字状の空間が形成されるガイド部材であり、
前記被ガイド部は、幅木の長手方向に沿って取り付けられ前記ガイド部材の空間内を移動するシャフトであることを特徴とする請求項１に記載の足場板。
【請求項３】
前記シャフトは、前記幅木の側縁の一部が切り欠かれた切り欠き部を跨いで取り付けられ、
前記ガイド部材は、前記切り欠き部内に位置することを特徴とする請求項２に記載の足場板。
【請求項４】
前記ガイド部は、前記上板の内側面および前記側板の内側面であり、
前記被ガイド部は、前記幅木の長手方向に沿って取り付けられ前記上板の内側面および前記側板の内側面に沿って移動するシャフトであることを特徴とする請求項１に記載の足場板。
【請求項５】
前記シャフトは、前記上板および前記側板に亘って形成された切り欠きを通して前記上板の内側面および前記側板の内側面に接することを特徴とする請求項４に記載の足場板。
【考案の詳細な説明】
【技術分野】
【０００１】
本考案は、仮設足場に用いられる足場板に関するものである。
【背景技術】
【０００２】
建設現場等で使用される仮設足場においては、近年足場作業時の物品等の落下防止対策として、幅木の設置が奨励されている。幅木を設置する方法として、従来どおり足場を設置した後、適宜板材を幅木として用いて、鉄線（番線）により支柱等に緊縛する方法や、幅木専用の部材を設置する方法が広く行われている。これらの方法は足場設置に必要な資材や部品、工具の種類を増やし、足場そのものの設置や撤去作業の手順を複雑なものにし、設置や撤去に要する時間を増大させており、設置作業そのものの危険性が増す要因ともなっている。
【０００３】
そこで、仮設足場の設置・撤去時の手間を軽減すると共に、幅木専用の部材とその保管スペース、および搬送の手間を減ずるものとして、例えば布板に起伏式の幅木が予め取り付けられているものが考案されている（特許文献１、特許文献２を参照）。これらは、布板の側面（一面）に予め起伏可能な幅木を取り付け、足場として使わないときは寝かせた状態にしたり布板の中に収納したりすることで、大きさを通常の布板とほぼ同じにすることができる。その状態で従来の足場と同様、足場の組立て、撤去、あるいは輸送や保管を行うことができる。
【先行技術文献】
【特許文献】
【０００４】
【特許文献１】実用新案登録２５０４２８７号公報
【特許文献２】特開平８−１２８１９２号公報
【考案の概要】
【考案が解決しようとする課題】
【０００５】
上述したような起伏式の幅木を備えた足場板では、作業現場で幅木を起立させて使用する。このとき、例えば幅木に物が当たっても倒れたり、外れたりしないようにしっかり固定する必要がある。また、設置・撤去作業時や、輸送時や保管時など、足場として使用しないときは倒伏した状態で固定され、起立しないようにロックされることが望ましい。また、幅木の固定には特別な工具や治具を必要とせず、簡単な操作で確実に固定でき、構造も簡単であることが望ましい。
【０００６】
本考案は、上述したような問題点に鑑みてなされたものであり、足場板本体の短手方向の一方側に起伏可能な幅木を取り付け、幅木を起立状態あるいは倒伏状態でしっかりと固定でき、特別な工具を用いることなく簡単な操作で起立状態および倒伏状態に移行でき、構造も簡単で壊れにくい足場板を提供する。
【課題を解決するための手段】
【０００７】
本考案は、足場板本体に幅木が起伏可能に取り付けられた足場板であって、前記足場板本体には、上板および側板に沿ったガイド部を有し、前記幅木には、前記ガイド部にガイドされる被ガイド部を有し、前記幅木は、前記ガイド部および前記被ガイド部により、倒伏状態で前記上板の短手方向に沿った移動と、起立状態で前記側板の上下方向に沿った移動とが可能であると共に、前記上板の短手方向に沿った移動と前記側板の上下方向に沿った移動との間の移行位置で、前記被ガイド部を中心に倒伏状態と起立状態との間を回動可能であることを特徴とする。
【考案の効果】
【０００８】
本考案によれば、足場板本体に対して起伏可能に取り付けられた幅木を起立状態あるいは倒伏状態でしっかりと固定でき、特別な工具を用いることなく簡単な操作で起立状態および倒伏状態に移行でき、構造も簡単で壊れにくい足場板を提供することができる。
【図面の簡単な説明】
【０００９】
【図１】仮設足場の構成を示す斜視図である。
【図２】第１の実施形態に係る足場板の構成を示す分解斜視図である。
【図３】組み立てられた足場板を示す平面図である。
【図４】幅木の倒伏状態と起立状態との移行を示す斜視図である。
【図５】幅木の倒伏状態と起立状態との移行を示す正面図である。
【図６】幅木の倒伏状態と起立状態との移行を示す側面図である。
【図７】第２の実施形態に係る足場板の構成を示す分解斜視図である。
【図８】幅木の倒伏状態と起立状態との移行を示す斜視図である。
【図９】幅木の倒伏状態と起立状態との移行を示す側断面図である。
【図１０】第１の実施形態の変形例を示す図である。
【図１１】第２の実施形態の変形例を示す図である。
【考案を実施するための形態】
【００１０】
以下、本考案に係る実施形態について図面を参照して説明する。
本実施形態の足場板は、例えば図１に示すような仮設足場１で用いることができる。
図１は、仮設足場１の構成を示す斜視図である。仮設足場１は、複数の建枠２と、建枠２同士の間で斜めに掛け渡されたブレース３と、建枠２同士の間で水平に架設された足場板１０とを含んで構成されている。
【００１１】
（第１の実施形態）
図２は、第１の実施形態に係る足場板１０の構成を示す分解斜視図である。
本実施形態の足場板１０は、足場板本体１１（布板ともいう）と幅木３１とを有している。足場板１０は、幅木３１が足場板本体１１の短手方向の一方側で、長手方向に沿った回動軸を中心にして起立状態および倒伏状態の間を起伏可能に取り付けられる。
足場板本体１１は、鋼製またはアルミニウム合金製等で長尺の矩形状に形成され、所定の厚みを有している。足場板本体１１は主に、全面に複数の孔が穿設された上板１２と、上板１２の短手方向の両端部から下方に折り曲げて形成された側板１３とを有している。また、足場板本体１１の４隅には、図１に示す建枠２に引っ掛けて足場板１０を架設するための引掛部１４が結合されている。
【００１２】
本実施形態の足場板本体１１には、後述する幅木３１のシャフト３２の移動をガイドするガイド部材２１が、長手方向に所定の間隔をあけて複数（図２では３つ）取り付けられている。ガイド部材２１は、上板１２の上面１２ａと側板１３の外側面１３ａとが接合される短手方向の一方側の角部１５に溶接等によって結合されている。ガイド部材２１は、鉄製またはアルミニウム合金製であり、断面視略Ｌ字状に形成されている。ガイド部材２１は、例えば鉄板を折り曲げたり、角柱パイプの一部を切断したりすることで形成することができる。後述する図４（ａ）〜図４（ｃ）に示すように、ガイド部材２１は水平ガイド部２２、上下ガイド部２３、水平ストッパ部２４、下ストッパ部２５を有する。水平ガイド部２２および上下ガイド部２３は、シャフト３２の移動をガイドするガイド部として機能する。ガイド部材２１は、水平ストッパ部２４が上板１２の上面１２ａに固定され、下ストッパ部２５が側板１３の外側面１３ａに固定されることで足場板本体１１に結合される。ガイド部材２１が足場板本体１１に結合された状態では、ガイド部材２１、上板１２および側板１３によって囲まれた断面視Ｌ字状（鉤状）の空間２６が形成される。
【００１３】
幅木３１は、鋼製またはアルミニウム合金製等で形成され、長尺の矩形状であって足場板本体１１の厚みよりも薄い薄板状であり、全面に複数の孔が穿設されている。ここでは、幅木３１の上下面のうち、図２に示す上面を外側面３１ａとし、下面を内側面３１ｂとする。また、幅木３１は、長手方向の寸法が足場板本体１１の長手方向の寸法と同一またはやや長く形成され、短手方向の寸法が足場板本体１１の短手方向の寸法よりも短く形成される。
【００１４】
本実施形態の幅木３１には、上述したガイド部材２１の空間２６内に挿入され、ガイド部材２１によってガイドされる被ガイド部としてのシャフト３２が外側面３１ａ上に取り付けられている。シャフト３２は、後述するように幅木３１が倒伏状態と起立状態との間を回動するときの回動中心となる。
具体的に、シャフト３２は、幅木３１の一方の側縁３１ｃ側の長手方向に沿って溶接等によって結合されている。シャフト３２は、いわゆる丸鋼であり、側面視真円状に形成されている。本実施形態では、幅木３１の側縁３１ｃには足場板本体１１のガイド部材２１と対応する位置に、それぞれ矩形状の切り欠き部３３が形成されている。シャフト３２は各切り欠き部３３を跨ぐようにして外側面３１ａに結合される。ここで、切り欠き部３３の幅寸法（図４（ａ）に示すＷｃ１）はガイド部材２１の幅寸法（図４（ａ）に示すＷｇ）よりも大きく形成されている。したがって、シャフト３２をガイド部材２１の空間２６内に挿入された状態では、ガイド部材２１を切り欠き部３３内に位置させることができる。
【００１５】
次に、足場板本体１１に幅木３１を取り付けて、足場板１０を組み立てる方法について説明する。
まず、足場板本体１１の角部１５の所定位置にガイド部材２１を予め取り付けた足場板本体１１を用意する。次に、幅木３１の側縁３１ｃの所定位置に切り欠き部３３を予め形成した幅木３１を用意する。このとき、まだシャフト３２は幅木３１に取り付けられていない。
続いて、幅木３１の各切り欠き部３３内に各ガイド部材２１を位置させた状態で、幅木３１の内側面３１ｂと、上板１２の上面１２ａとを重ね合わせる。
【００１６】
続いて、シャフト３２を長手方向の一方方向から各ガイド部材２１の空間２６内に挿通させ、幅木３１の外側面３１ａ上であって側縁３１ｃから所定の距離だけ離れた位置に載置する。この状態でシャフト３２と、幅木３１の外側面３１ａとを溶接することで、シャフト３２が幅木３１に結合され、足場板１０が組み立てられる。このようにシャフト３２を幅木３１に結合することにより、シャフト３２は切り欠き部３３を跨ぐように結合される。
図３は、組み立てられた足場板１０を示す平面図である。図３に示す足場板１０は幅木３１が足場板本体１１に重ねられた倒伏状態を示している。図３に示すような幅木３１の倒伏状態では、足場板１０は足場板本体１１とサイズが変わらないため、輸送や保管が容易である。
【００１７】
次に、幅木３１を倒伏状態から起立状態に移行する操作について、図４、図５、図６を参照して説明する。図４（ａ）〜（ｃ）は、ガイド部材２１周辺を示す斜視図である。図５（ａ）〜（ｃ）は、図３に示す矢印Ａ１方向から見た足場板１０の正面図である。図６（ａ）〜（ｃ）は、図３に示す矢印Ａ２方向から見た足場板１０の側面図である。また、図４（ａ）、図５（ａ）、図６（ａ）は、それぞれ幅木３１の倒伏状態を示している。また、図４（ｂ）、図５（ｂ）、図６（ｂ）は、それぞれ幅木３１が倒伏状態から起立状態へ移行した状態を示している。また、図４（ｃ）、図５（ｃ）、図６（ｃ）は、それぞれ幅木３１の起立状態を示している。
【００１８】
図４（ａ）、図５（ａ）、図６（ａ）に示す幅木３１の倒伏状態では、シャフト３２がガイド部材２１の空間２６内で水平ストッパ部２４に接しているため、幅木３１が側板１３から離れる方向への移動が規制される。このとき、幅木３１の側縁３１ｃが、足場板本体１１の角部１５に位置するように設定されているために、幅木３１が側板１３から水平方向に突出せず、邪魔になることがない。また、幅木３１のうちシャフト３２から側縁３１ｃ側の領域Ｒａ（図４（ａ）を参照）の内側面３１ｂが、上板１２の上面１２ａに接しているために、幅木３１のシャフト３２を中心とした回動が規制される。すなわち、幅木３１は、起立状態への回動が規制されたロック状態となる。
【００１９】
倒伏状態から起立状態に移行するには、作業者は倒伏状態のまま幅木３１を足場板本体１１の側板１３側の短手方向にスライドさせる。このとき、シャフト３２はガイド部材２１の水平ガイド部２２によりガイドされ、空間２６内を水平方向に移動する。この移動中、幅木３１のうち領域Ｒａの内側面３１ｂの少なくとも一部は、上板１２の上面１２ａに接しているために、幅木３１のシャフト３２を中心とした回動が規制される。
【００２０】
図４（ｂ）、図５（ｂ）、図６（ｂ）に示す幅木３１の状態は、幅木３１を倒伏状態のままスライドさせて、シャフト３２を足場板本体１１の角部（外側の角部）１５まで移動させ、起立状態に回動した状態である。すなわち、シャフト３２を角部１５まで移動することで、幅木３１のうち領域Ｒａの内側面３１ｂを上板１２の上面１２ａから離間させることができる。したがって、幅木３１のシャフト３２を中心した回動が許容されるので、作業者は幅木３１を倒伏状態から起立状態に回動できる。
【００２１】
図４（ｂ）、図５（ｂ）、図６（ｂ）に示すように幅木３１を起立させることで、幅木３１は起立状態のまま自重により下方にスライドする。このとき、シャフト３２はガイド部材２１の上下ガイド部２３によりガイドされ、空間２６内を下方向に移動する。この移動中、幅木３１を少しでも下方にスライドさせることにより、幅木３１のうちシャフト３２から側縁３１ｃの反対側の領域Ｒｂ（図４（ｂ）を参照）の内側面３１ｂが、側板１３の外側面１３ａと接するために、幅木３１のシャフト３２を中心とした倒伏状態への回動が規制される。また、幅木３１のうち領域Ｒａの内側面３１ｂも、同様に側板１３の外側面１３ａと接するために、幅木３１のシャフト３２を中心とした外側への回動（倒伏状態とは反対側への回動）が規制される。したがって、幅木３１は起立状態のまま下方にスライドする。
【００２２】
図４（ｃ）、図５（ｃ）、図６（ｃ）に示す幅木３１の起立状態では、シャフト３２がガイド部材２１の空間２６内で下ストッパ部２５に接すると共に、切り欠き部３３がガイド部材２１の水平ガイド部２２に接するために、幅木３１の自重による下方の移動を規制される。このとき、幅木３１の側縁３１ｃと側板１３の外側面１３ａとが重なり合っているために、幅木３１と上板１２との間に隙間が生じない。したがって、物品が幅木３１と上板１２との間から落下してしまうことがない。また、幅木３１の側縁３１ｃは、側板１３の下端に位置するように設定されているために、幅木３１が側板１３から下方に突出せず、邪魔になることがない。更に、幅木３１の領域Ｒａおよび領域Ｒｂの内側面３１ｂが、側板１３の外側面１３ａに接しているために、幅木３１のシャフト３２を中心とした回動が規制される。すなわち、幅木３１は、倒伏状態への回動が規制されたロック状態となる。
【００２３】
なお、図４（ｃ）、図５（ｃ）、図６（ｃ）に示す幅木３１の起立状態において、上板１２上に作業者が載ると上板１２は下方に撓む。この場合に、上板１２の撓みに伴ってガイド部材２１も下方に移動するものの、幅木３１のシャフト３２はガイド部材２１の空間２６内を上方向に相対的に移動することができる。したがって、上板１２の撓みが幅木３１やシャフト３２の変形を生じさせることがない。このとき、幅木３１と側板１３との重なり代を大きくしておくことで、上板１２が撓んだ場合であっても、幅木３１と上板１２との間の隙間を生じないようにすることができる。
【００２４】
次に、幅木３１を起立状態から倒伏状態に移行する操作について説明する。幅木３１を起立状態から倒伏状態に移行するには、上述した倒伏状態から起立状態への操作の逆の操作を行う。具体的には、図４（ｃ）、図５（ｃ）、図６（ｃ）に示す幅木３１の起立状態のまま、作業者は幅木３１を持ち上げ、上方にスライドさせる。このとき、シャフト３２はガイド部材２１の上下ガイド部２３によりガイドされ、空間２６内を上方向に移動する。
【００２５】
作業者は、図４（ｂ）、図５（ｂ）、図６（ｂ）に示すようにシャフト３２を角部１５まで移動させる。シャフト３２を角部１５まで移動させることで、幅木３１のうち領域Ｒｂの内側面３１ｂを側板１３の外側面１３ａから離間させることができる。したがって、幅木３１のシャフト３２を中心した回動が許容されるので、作業者は幅木３１を起立状態から倒伏状態に回動できる。
【００２６】
作業者は、幅木３１を倒伏させ、倒伏状態のまま上板１２の短手方向にスライドさせる。このとき、シャフト３２はガイド部材２１の水平ガイド部２２によりガイドされ、空間２６内を水平方向に移動する。作業者は、図４（ａ）、図５（ａ）、図６（ａ）に示すようにシャフト３２が水平ストッパ部２４に接するまで幅木３１をスライドさせることで、起立状態から倒伏状態への操作が完了する。
【００２７】
このように本実施形態によれば、シャフト３２がガイド部材２１の空間２６内の水平ガイド部２２と上下ガイド部２３との交点、すなわち足場板本体１１の外側の角部１５に位置するときにのみ、幅木３１が倒伏状態と起立状態との間で回動可能である。換言すると、幅木３１は水平方向の移動と上下方向の移動との間の移行位置でのみ回動可能であり、それ以外では幅木３１の内側面３１ｂが上板１２の上面１２ａまたは側板１３の外側面１３ａと接するので回動できない。
【００２８】
したがって、図４（ａ）、図５（ａ）、図６（ａ）に示すように幅木３１を倒伏状態にすることで幅木３１の回動がロックされるので、仮設足場１の設置作業時や輸送時等に不用意に幅木３１が起立することがなく取り扱いが容易となる。また、このとき、幅木３１は足場板本体１１から突出していないために、保管時、格納時または輸送時に支障となることが少ない。更に、足場板本体１１に幅木３１が取り付けられていることから、仮設足場１の設置の計画や積算をする場合に、幅木３１の数量を積算する必要がない。
また、図４（ｃ）、図５（ｃ）、図６（ｃ）に示すように幅木３１を起立状態にすることで幅木３１の回動がロックされるので、幅木３１を番線や固定金具等を用いることなく固定できる。
【００２９】
また、幅木３１の倒伏状態から起立状態への移行は、作業者が幅木３１を足場板本体１１の短手方向にスライドさせた後、起立させるだけの操作であり、特別な工具を用いる必要がないと共に作業時間を短縮させることができる。
また、幅木３１の起立状態から倒伏状態への移行は、作業者が幅木３１を上方に持ち上げた後、足場板本体１１の短手方向にスライドさせるだけの作業であり、特別な工具を用いる必要がないと共に作業時間を短縮させることができる。
【００３０】
特に、第１の実施形態では、市販の足場板本体にガイド部材２１を取り付けるだけの簡単な改造で足場板本体１１を構成することができる。このような改造による足場板本体１１の重量はガイド部材２１の重量分が増加するだけであって、足場板本体１１の重量が過剰に増加するものではない。また、足場板本体１１にはガイド部材２１を取り付けるだけであり、足場板本体１１の強度が低下することがないため、補強の必要がない。
【００３１】
（第２の実施形態）
図７は、第２の実施形態に係る足場板４０の構成を示す分解斜視図である。
本実施形態の足場板４０は、足場板本体４１と幅木６１とを有している。足場板４０は、幅木６１が足場板本体４１の短手方向の一方側で、長手方向に沿った回動軸を中心にして起立状態および倒伏状態の間を起伏可能に取り付けられる。以下では第１の実施形態と相違する点を中心に説明し、同様の構成についてはその説明を適宜省略する。
【００３２】
本実施形態の足場板本体４１には、切り欠き４２が長手方向に所定の間隔をあけて複数（図７では３つ）形成されている。切り欠き４２は、上板１２と側板１３とに亘って、すなわち角部１５に形成されている。切り欠き４２内には、上板１２から下方に突出する水平ストッパ部５４と、側板１３から水平方向に突出する下ストッパ部５５とが形成されている。水平ストッパ部５４および下ストッパ部５５は、上板１２および側板１３の一部を折り曲げて形成してもよく、溶接等によって結合してもよい。本実施形態は、切り欠き４２の両側に位置する上板１２の下面１２ｂと側板１３の内側面１３ｂとにより後述するシャフト６２をガイドするガイド部を構成する。
【００３３】
本実施形態の幅木６１には、上述した切り欠き４２内に挿入され、上板１２の下面１２ｂと側板１３の内側面１３ｂとにガイドされる被ガイド部としてのシャフト６２が内側面６１ｂに取り付けられている。シャフト６２は、幅木６１が倒伏状態と起立状態との間を回動するときの回動中心となる。
本実施形態は、シャフト６２は、幅木６１の一方の側縁６１ｃ側の長手方向に沿って足場板本体４１の切り欠き４２と対応する位置に複数、溶接等によって結合されている。ここで、シャフト６２の幅寸法（図８（ａ）に示すＷｓ）は切り欠き４２の幅寸法（図８（ａ）に示すＷｃ２）よりも大きく形成されている。したがって、シャフト６２を切り欠き４２内に挿入された状態では、シャフト６２の両端を切り欠き４１の両側に位置する上板１２の下面１２ｂと側板１３の内側面１３ｂとに囲まれた空間内に位置させることができる。なお、後述する図９（ａ）〜図９（ｃ）に示すように、シャフト６２と幅木６１の内側面６１ｂとの間には、上板１２、側板１３の板厚以上の当て板６３を介して結合されている。
【００３４】
次に、足場板本体４１に幅木６１を取り付けて、足場板４０を組み立てる方法について説明する。
まず、足場板本体４１の角部１５の所定位置に切り欠き４２を予め形成した足場板本体４１を用意する。次に、シャフト６２が取り付けられていない幅木６１を用意する。
続いて、幅木６１の内側面６１ｂと、上板１２の上面１２ａとを重ね合わせる。
【００３５】
続いて、各シャフト６２を上板１２の下面１２ｂ側から各切り欠き４２内であって、幅木６１の側縁６１ｃから所定の距離だけ離れた位置に載置する。なお、この作業は足場板本体４１、幅木６１を上下反転させた状態で行うことが好ましい。この状態でシャフト６２と、幅木６１の内側面６１ａとを当て板６３を介して溶接することで、シャフト６２が幅木６１に結合され、足場板４０が組み立てられる。このようにシャフト６２を幅木６１に結合することにより、シャフト６２は切り欠き４２を跨ぐように結合される。
【００３６】
次に、幅木６１を倒伏状態から起立状態に移行する操作について、図８、図９を参照して説明する。図８（ａ）〜図８（ｃ）は、切り欠き４２周辺を示す斜視図である。図９（ａ）〜図９（ｃ）は、足場板４０の一部を切断し側方から見た断面図である。また、図８（ａ）、図９（ａ）は、それぞれ幅木６１の倒伏状態を示している。また、図８（ｂ）、図９（ｂ）は、それぞれ幅木６１が倒伏状態から起立状態へ移行した状態を示している。また、図８（ｃ）、図９（ｃ）は、それぞれ幅木６１の起立状態を示している。
【００３７】
図８（ａ）、図９（ａ）に示す幅木６１の倒伏状態では、シャフト６２が各切り欠き４２の水平ストッパ部５４に接しているため、幅木６１が側板１３から離れる方向への移動が規制される。幅木６１のうちシャフト６２から側縁６１ｃ側の領域Ｒａ（図８（ａ）を参照）の内側面６１ｂが、上板１２の上面１２ａに接しているために、幅木６１のシャフト６２を中心とした回動が規制される。すなわち、幅木６１は、起立状態への回動が規制されたロック状態となる。
【００３８】
倒伏状態から起立状態に移行するには、作業者は倒伏状態のまま幅木６１を足場板本体４１の側板１３側の短手方向にスライドさせる。このとき、シャフト６２は上板１２の下面１２ｂによりガイドされ、切り欠き４２内を水平方向に移動する。
図８（ｂ）、図９（ｂ）に示す幅木６１の状態は、幅木６１を倒伏状態のままスライドさせて、シャフト６２を上板１２と側板１３との接合位置である角部（内側の角部）１５まで移動させ、起立状態に回動した状態である。すなわち、シャフト６２を角部１５まで移動することで、幅木６１のうち領域Ｒａの内側面６１ｂを上板１２の上面１２ａから離間させることができる。したがって、幅木６１のシャフト６２を中心した回動が許容されるので、作業者は幅木６１を倒伏状態から起立状態に回動できる。
【００３９】
図８（ｂ）、図９（ｂ）に示すように幅木６１を起立させることで、幅木６１は起立状態のまま自重により下方にスライドする。このとき、シャフト６２は側板１３の内側面１３ｂによりガイドされ、切り欠き４２内を下方向に移動する。
図８（ｃ）、図９（ｃ）に示す幅木６１の起立状態では、シャフト６２が切り欠き４２の下ストッパ部５５に接しているため、幅木６１の自重による下方の移動を規制される。このとき、幅木６１の側縁６１ｃと側板１３の外側面１３ａとが重なり合っているために、幅木３１と上板１２との間に隙間が生じない。更に、幅木６１の領域Ｒａおよび領域Ｒｂの内側面６１ｂが、側板１３の外側面１３ａに接しているために、幅木６１のシャフト６２を中心とした回動が規制される。すなわち、幅木６１は、倒伏状態への回動が規制されたロック状態となる。
【００４０】
このように本実施形態によれば、シャフト６２が上板１２の下面１２ｂと側板１３の内側面１３ｂの交点、すなわち足場板本体４１の内側の角部１５に位置するときにのみ、幅木６１が倒伏状態と起立状態との間で回動可能である。換言すると、幅木６１は水平方向の移動と上下方向の移動との間の移行位置でのみ回動可能であり、それ以外では幅木６１の内側面６１ｂが上板１２の上面１２ａまたは側板１３の外側面１３ａと接するので回動できない。したがって、第１の実施形態と同様な効果を有している。
【００４１】
特に、第２の実施形態では、シャフト６２を幅木６１の内側面６１ｂに結合し、足場板本体４１に形成された切り欠き４２内に挿入している。したがって、シャフト６２およびそのガイド部が外部に露出することがなく、第１の実施形態よりも足場板本体４１からの突出する部分を少なくすることができる。
【００４２】
以上、本考案に係る実施形態について説明したが、本考案は上述した実施形態にのみ限定されるものではなく、本考案の範囲内で変更等が可能である。
例えば、第１の実施形態では、断面視略Ｌ字状のガイド部材２１を足場板本体１１に取付ける場合について説明したが、この場合に限られない。図１０は、第１の実施形態の他の変形例を示す図である。本変形例に示すガイド部材２７は断面視Ｌ字状（鉤状）の空間２６を囲むように形成されているので剛性を高めることができる、ガイド部材２７を足場板本体１１の角部１５に結合することで、第１の実施形態と同様に構成することができる。
また、例えば、第２の実施形態では、切り欠き４２に水平ストッパ部５４および下ストッパ部５５を別々に構成する場合について説明したが、この場合に限られない。図１１は、第２の実施形態の他の変形例を示す図である。本変形例では、水平ストッパ部５４と下ストッパ部５５とが一体で階段状に形成されたストッパ部材５６を用いている。ストッパ部材５６を切り欠き４２に足場板本体４１の内側から結合することで、水平ストッパ部５４および下ストッパ部５５の剛性を高めることができる。
【００４３】
また、例えば、上述した第１および第２の実施形態では、シャフト３２、６２による幅木３１、６１の回動部が３つの場合について説明したが、この場合に限られず、３つ以上であってもよい。回動部の数は、足場板１０の長さに応じて適宜増減することができる。本実施形態で用いられる例えば１８００ｍｍの長さの足場板１０、４０の場合には、３つまたは４つが好ましい。
また、第１の実施形態では一本のシャフト３２で構成し、第２の実施形態では複数本のシャフト６２で構成する場合について説明したが、この場合に限られない。複数本のシャフト３２で構成してもよく、一本のシャフト６２で構成してもよい。なお、シャフトを複数本に場合には、各シャフトが同芯軸上に構成する。
【符号の説明】
【００４４】
１：仮設足場  １０：足場板  １１：足場板本体  １２：上板  １２ａ：上面  １２ｂ：下面  １３：側面  １３ａ：外側面  １３ｂ：内側面  １５：角部  ２１：ガイド部材  ２２：水平ガイド部  ２３：上下ガイド部  ２４：水平ストッパ部  ２５：下ストッパ部  ２６：空間  ３１：幅木  ３１ａ：外側面  ３１ｂ：内側面  ３１ｃ：側縁  ３２：シャフト  ３３：切り欠き部  ４１：足場板本体  ４２：切り欠き  ５４：水平ストッパ部  ５５：下ストッパ部  ６１：幅木  ６１ａ：外側面  ６１ｂ：内側面  ６１ｃ：側面  ６２：シャフト  ６３：当て板
【図１】
0003179164.tif 000003
【図２】
0003179164.tif 000004
【図３】
0003179164.tif 000005
【図４】
0003179164.tif 000006
【図５】
0003179164.tif 000007
【図６】
0003179164.tif 000008
【図７】
0003179164.tif 000009
【図８】
0003179164.tif 000010
【図９】
0003179164.tif 000011
【図１０】
0003179164.tif 000012
【図１１】
0003179164.tif 000013